(57)【要約】【課題】目的施設に訪問する利用者が実際に駐車した駐車場の傾向を知ることができる技術の提供。【解決手段】駐車場情報管理システムは、車両が駐車した駐車地点を示す駐車情報を前記車両から収集する駐車情報収集部と、前記駐車情報に基づいて、目的地として設定された目的施設ごとに、前記目的地として設定された際に前記車両が実際に駐車した駐車場の傾向を導出可能な履歴情報を蓄積する履歴情報蓄積部と、を備える。
2018179956.tif 000002
【特許請求の範囲】
【請求項１】
車両が駐車した駐車地点を示す駐車情報を前記車両から収集する駐車情報収集部と、
前記駐車情報に基づいて、目的地として設定された目的施設ごとに、前記目的地として設定された際に前記車両が実際に駐車した駐車場の傾向を導出可能な履歴情報を蓄積する履歴情報蓄積部と、
を備える駐車場情報管理システム。
【請求項２】
前記履歴情報は、前記駐車地点が前記目的施設に従属する駐車場である従属駐車場内であるか否かを示す情報である、
請求項１に記載の駐車場情報管理システム。
【請求項３】
前記履歴情報蓄積部は、
施設の位置と、駐車場が存在する駐車場領域と、前記施設に対する前記駐車場領域の従属関係とを示す地図情報を取得し、
前記駐車地点が、前記目的施設に従属する前記駐車場領域内である場合、当該目的施設に従属する前記従属駐車場に前記車両が駐車したと判定し、
前記駐車地点が、前記目的施設に従属する前記駐車場領域内でない場合、前記従属駐車場に前記車両が駐車しなかったと判定する、
請求項２に記載の駐車場情報管理システム。
【請求項４】
前記履歴情報蓄積部は、
横切ることの困難度が閾値以上の境界線によって閉じられた領域であって前記目的施設を含む判定領域を当該目的施設に従属する前記従属駐車場の駐車場領域であると見なす、
請求項２または請求項３のいずれかに記載の駐車場情報管理システム。
【請求項５】
前記境界線は道路区間によって構成される、
請求項４に記載の駐車場情報管理システム。
【請求項６】
前記履歴情報のうち、少なくとも前記駐車地点が前記従属駐車場内でない場合に蓄積される前記履歴情報は、前記駐車地点の位置を示す、
請求項２から請求項５のいずれか一項に記載の駐車場情報管理システム。
【請求項７】
目的地の施設である目的施設を受け付ける目的施設受付部と、
過去において前記目的施設が前記目的地として設定された際に車両が実際に駐車した駐車場の傾向を示す案内を案内部に案内させる案内制御部と、
を備える駐車場案内システム。
【請求項８】
前記案内制御部は、前記目的施設に従属する駐車場である従属駐車場に前記車両が駐車した傾向の強さを示す案内を前記案内部に案内させる、
請求項７に記載の駐車場案内システム。
【請求項９】
前記案内制御部は、前記従属駐車場外において前記車両が実際に駐車した駐車地点の位置を示す案内を前記案内部に案内させる、
請求項８に記載の駐車場案内システム。
【請求項１０】
前記案内制御部は、前記駐車地点が属する前記従属駐車場以外の駐車場の駐車頻度を示す案内を前記案内部に案内させる、
請求項９に記載の駐車場案内システム。
【請求項１１】
前記案内制御部は、前記駐車地点が属する前記従属駐車場以外の駐車場と、当該駐車場に類似する駐車場である類似駐車場とを示す案内を前記案内部に案内させる、
請求項９または請求項１０のいずれかに記載の駐車場案内システム。
【請求項１２】
コンピュータを、
車両が駐車した駐車地点を示す駐車情報を前記車両から収集する駐車情報収集部、
前記駐車情報に基づいて、目的地として設定された目的施設ごとに、前記目的地として設定された際に前記車両が実際に駐車した駐車場の傾向を導出可能な履歴情報を蓄積する履歴情報蓄積部、
として機能させる駐車場情報管理プログラム。
【請求項１３】
コンピュータを、
目的地の施設である目的施設を受け付ける目的施設受付部、
過去において前記目的施設が前記目的地として設定された際に車両が実際に駐車した駐車場の傾向を示す案内を案内部に案内させる案内制御部、
として機能させる駐車場案内プログラム。
【発明の詳細な説明】
【技術分野】
【０００１】
本発明は、駐車場情報管理システム、駐車場案内システム、駐車場情報管理プログラムおよび駐車場案内プログラムに関する。
【背景技術】
【０００２】
従来、施設と実質的に同一の地点の駐車場に車両が駐車した場合に、当該施設に駐車場が有ることを示すデータを付加する技術が知られている（特許文献１、段落００７３、参照）。これにより、ユーザに対して駐車場付きの施設を案内できる。また、目的地周辺（目的地から所定距離以内）において駐車が行われた場合に、駐車した位置と目的地とを対応付けて記憶する技術が知られている（特許文献２、参照）。
【先行技術文献】
【特許文献】
【０００３】
【特許文献１】特開２００９−１６９５２７号公報
【特許文献２】特開２００３−１７２６２２号公報
【発明の概要】
【発明が解決しようとする課題】
【０００４】
しかしながら、目的地の施設に訪問する際に利用したいと考える駐車場は、必ずしも目的地の施設と同一の地点の駐車場や施設に近い駐車場であるとは限らない。例えば、目的地の施設から遠くても目的地の施設までのアクセスや駐車料金が良好である駐車場が多くの利用者に利用されているような場合もある。従って、特許文献１，２においては、目的施設に訪問する利用者によく利用されている駐車場を知ることができないという問題があった。
本発明は、前記課題にかんがみてなされたもので、目的施設に訪問する利用者が実際に駐車した駐車場の傾向を知ることができる技術を提供することを目的とする。
【課題を解決するための手段】
【０００５】
前記の目的を達成するため、本発明の駐車場情報管理システムは、車両が駐車した駐車地点を示す駐車情報を車両から収集する駐車情報収集部と、駐車情報に基づいて、目的地として設定された目的施設ごとに、目的地として設定された際に車両が実際に駐車した駐車場の傾向を導出可能な履歴情報を蓄積する履歴情報蓄積部と、を備える。【０００６】
また、駐車場情報管理プログラムは、コンピュータを、車両が駐車した駐車地点を示す駐車情報を車両から収集する駐車情報収集部、駐車情報に基づいて、目的地として設定された目的施設ごとに、目的地として設定された際に車両が実際に駐車した駐車場の傾向を導出可能な履歴情報を蓄積する履歴情報蓄積部、として機能させる。【０００７】
さらに、駐車場案内システムは、目的地の施設である目的施設を受け付ける目的施設受付部と、過去において目的施設が目的地として設定された際に車両が実際に駐車した駐車場の傾向を示す案内を案内部に案内させる案内制御部と、を備える。【０００８】
前記のように構成された本発明において、目的施設ごとに、目的地として設定された際に車両が実際に駐車した駐車場の傾向を示す案内を提供することができる。従って、目的施設に訪問しようとしている利用者は、過去に目的施設に訪問した利用者が利用した駐車場の傾向を知ることができる。
【図面の簡単な説明】
【０００９】
【図１】駐車場情報管理システムと駐車場案内システムのブロック図である。
【図２】図２Ａ，図２Ｂは駐車場の平面図である。
【図３】駐車場情報管理処理のフローチャートである。
【図４】駐車場案内処理のフローチャートである。
【図５】駐車場の案内画面の例である。
【発明を実施するための形態】
【００１０】
ここでは、下記の順序に従って本発明の実施の形態について説明する。
（１）駐車場情報管理システムおよび駐車場案内システムの構成：
（１−１）サーバの構成：
（１−２）車載端末の構成：
（２）駐車場情報管理処理：
（３）駐車場案内処理：
（４）他の実施形態：
【００１１】
（１）駐車場情報管理システムおよび駐車場案内システムの構成：
図１は、本発明の一実施形態である駐車場情報管理システムおよび駐車場案内システムの構成例を示すブロック図である。本実施形態にかかる駐車場情報管理システムはサーバ１０によって実現され、駐車場案内システムは車載端末１００によって構成される。サーバ１０と車載端末１００とは、無線通信回線を介して通信可能となっている。
【００１２】
（１−１）サーバの構成：
サーバ１０は、ＣＰＵ、ＲＡＭ、ＲＯＭ等を備える制御部２０と、記録媒体３０と通信部４０とを備えており、制御部２０は、当該ＲＯＭや記録媒体３０や他の記録媒体に記録された種々のプログラムを実行する。通信部４０は、予め決められた周波数帯域の搬送波を利用して他の装置と通信を行うための回路を備えている。本実施形態において、制御部２０は、通信部４０を介して車両に搭載された車載端末１００と通信を行う。
【００１３】
記録媒体３０は地図情報３０ａと履歴ＤＢ（Database）３０ｂとを記録する。地図情報３０ａは、ノードデータとリンクデータと施設データと地形データとを含む。ノードデータは、車両が走行可能な道路上に存在する交差点等に対応するノードの座標を示す。リンクデータは、車両が走行可能な道路をノードで区切った道路区間（リンク）ごとに、当該道路区間についての情報を示す。リンクデータは、道路区間ごとに探索コストと幅員と横断歩道の位置等を示す。探索コストは、経路探索において使用するパラメータであり、探索コストが大きいほど案内経路を構成する道路区間として採用されにくくなる。
【００１４】
施設データとは、施設（商業施設、交通施設、公共施設、観光施設、駐車場等）について、少なくとも位置と名称とを含む各種情報を示す。施設データにおいて、施設としての駐車場について駐車場領域も規定されている。ただし、すべての駐車場について駐車場領域が規定されているのではなく、一部の駐車場については駐車場領域が規定されていない。駐車場領域は、例えばポリゴンによって規定されている。また、施設データにおいて、施設と、当該施設に従属する従属駐車場との対応関係が規定されている。従属駐車場とは、施設と同一敷地内に設けられた駐車場であってもよいし、施設の所有者が所有する駐車場であってもよいし、施設と提携している駐車場であってもよい。さらに、施設データにおいて、互いに関連する２個以上の関連施設（駐車場以外）の対応関係が規定されている。関連施設とは、例えばショッピングモール等の複合施設に含まれる複数の施設であってもよい。
【００１５】
地形データは、海や川や池や沼のように水が存在する水領域と、予め決められた基準以上の急勾配が存在する急勾配領域とを示すデータである。履歴ＤＢ３０ｂは、履歴情報を蓄積したデータベースである。履歴情報とは、目的施設への経路案内がなされた際に、当該目的施設の従属駐車場に車両が実際に駐車したか否かを示す情報である。
【００１６】
制御部２０は、駐車場情報管理プログラム２１を実行する。この駐車場情報管理プログラム２１は、駐車情報収集モジュール２１ａと履歴情報蓄積モジュール２１ｂと案内情報生成モジュール２１ｃとを含み、本発明の駐車場情報管理プログラムと駐車場案内プログラムとに相当する。駐車情報収集モジュール２１ａと履歴情報蓄積モジュール２１ｂとを実行する制御部２０は、本発明の駐車情報収集部と履歴情報蓄積部を構成する。
【００１７】
駐車情報収集モジュール２１ａの機能により制御部２０は、車両が駐車した駐車地点を示す駐車情報を車両から収集する。すなわち、駐車情報収集モジュール２１ａの機能により制御部２０は、車両の車載端末１００が生成した駐車情報を通信部４０の通信を介して受信して取得する。駐車地点は、車両が駐車した位置であり、例えば車両のアクセサリー電源がＯＦＦとなった位置であってもよいし、パーキングブレーキが有効となった位置であってもよい。駐車情報は、車両または車載端末１００に固有の識別情報を含む。さらに、経路情報は、駐車した際またはその直前において車載端末１００が行っていた経路案内の目的施設を示す。
【００１８】
履歴情報蓄積モジュール２１ｂの機能により制御部２０は、目的地として設定された目的施設ごとに、目的地として設定された際に車両が実際に駐車した駐車場の傾向を導出可能な履歴情報を蓄積する。本実施形態において、履歴情報とは、駐車地点が目的施設に従属する駐車場である従属駐車場内であるか否かを示す情報である。履歴情報蓄積モジュール２１ｂの機能により制御部２０は、駐車情報に基づいて、目的地として設定された目的施設に従属する駐車場である従属駐車場に車両が駐車したか否かを判定し、当該判定の結果を示す履歴情報を目的施設ごとに蓄積する。具体的に、履歴情報蓄積モジュール２１ｂの機能により制御部２０は、地図情報３０ａを取得し、駐車地点が、目的施設に従属する駐車場領域内である場合、当該目的施設に従属する従属駐車場に車両が駐車したと判定し、駐車地点が、目的施設に従属する駐車場領域内でない場合、従属駐車場に車両が駐車しなかったと判定する。上述したように、地図情報３０ａは、施設の位置と、駐車場が存在する駐車場領域と、施設に対する駐車場領域の従属関係とを示すデータを含む。
【００１９】
まず、履歴情報蓄積モジュール２１ｂの機能により制御部２０は、駐車情報が示す駐車位置が地図情報３０ａの施設データに規定されたいずれかの駐車場の駐車場領域内であるか否かを判定する。駐車位置が地図情報３０ａに規定されたいずれかの駐車場の駐車場領域内である場合、制御部２０は、施設データに基づいて当該駐車場領域が目的施設の従属駐車場であるかを判定する。
【００２０】
図２Ａは、駐車場領域Ｒ１〜Ｒ４の平面模式図である。同図において、太い実線で囲んだ４個の駐車場領域Ｒ１〜Ｒ４が存在しており、そのうち３個の駐車場領域Ｒ１〜Ｒ３が目的施設ＤGの従属駐車場であることが施設データにおいて示されている。残りの駐車場領域Ｒ４は、目的施設ＤGとは異なる施設Ｄの従属駐車場である。従って、駐車地点が従属駐車場の駐車場領域Ｒ１〜Ｒ３内の地点Ｐ１〜Ｐ３であった場合、制御部２０は、目的施設ＤGの従属駐車場に車両が駐車したと判定する。一方、駐車地点が従属駐車場の駐車場領域Ｒ１〜Ｒ３内ではない地点Ｐ４であった場合、制御部２０は、目的施設ＤGの従属駐車場に車両が駐車したと判定しない。
【００２１】
ただし、施設データにおいて目的施設ＤGと施設Ｄとが関連施設であることが示されている場合、制御部２０は、駐車場領域Ｒ４の駐車場も目的施設ＤGの従属駐車場であるとみなし、駐車地点が地点Ｐ４であった場合も目的施設ＤGの従属駐車場に車両が駐車したと判定する。
【００２２】
目的施設ＤGまたはその関連施設に従属駐車場が対応付けられており、かつ、当該従属駐車場に駐車場領域が規定されている場合には、以上の判定手法より、目的施設ＤGの従属駐車場に車両が駐車したか否かを判定できる。しかし、目的施設ＤGまたはその関連施設の従属駐車場について駐車場領域が規定されていない場合や、目的施設ＤGまたはその関連施設にそもそも従属駐車場が対応付けられていない場合には、以上の判定手法より、目的施設ＤGの従属駐車場に車両が駐車したか否かを判定できない。
【００２３】
図２Ｂは、目的施設ＤGと施設Ｄとを示す平面模式図である。図２Ｂの例では、目的施設ＤGと施設Ｄに従属する従属駐車場は存在せず、目的施設ＤGと施設Ｄの付近に太い実線で囲んだ駐車場領域が規定されていない。
【００２４】
このような場合、履歴情報蓄積モジュール２１ｂの機能により制御部２０は、横切ることの困難度が閾値以上の境界線によって閉じられた領域であって目的施設ＤGを含む判定領域を当該目的施設ＤGに従属する従属駐車場であると見なす。そして、履歴情報蓄積モジュール２１ｂの機能により制御部２０は、駐車地点が、判定領域内である場合、従属駐車場に車両が駐車したと判定し、駐車地点が、判定領域内でない場合、従属駐車場に車両が駐車しなかった判定する。
【００２５】
ここで、境界線は道路区間によって構成される。道路区間を横切ることなく駐車地点から目的施設ＤGへと通行できる場合、駐車地点が目的施設ＤGの従属駐車場内であると見なすことができる。図２Ｂにおいて破線で示すように、目的施設ＤGを含む判定領域Ｊの境界線Ｚは、グレーで示す道路区間Ｌ１〜Ｌ６によって構成されている。なお、本実施形態において、道路区間Ｌ１〜Ｌ９のうち、幅員が基準値（例えば５ｍ）以上の道路区間Ｌ１〜Ｌ７が横切ることの困難度が閾値以上であり、境界線Ｚを構成し得る。また、道路区間Ｌ７は、横切ることの困難度が閾値以上であるが、目的施設ＤGを含む閉じられた領域を形成しないため、境界線Ｚを構成しない。
【００２６】
さらに、境界線Ｚは、海や川や池や沼のように水が存在する水領域と、予め決められた基準以上の急勾配が存在する急勾配領域によっても構成される。図２Ｂに示すように、川が存在する水領域Ｗによって境界線Ｚが構成されている。すなわち、６個の道路区間Ｌ１〜Ｌ６と水領域Ｗとによって構成された境界線Ｚによって目的施設ＤGを含む判定領域Ｊが閉じた領域となっている。制御部２０は、地図情報３０ａの施設データにおいて、目的施設ＤGの従属駐車場の駐車場領域として判定領域Ｊを新たに登録する。
【００２７】
図２Ｂにおいて、駐車地点が従属駐車場の駐車場領域として見なされた判定領域Ｊ内の地点Ｐ１〜Ｐ３であった場合、制御部２０は、目的施設ＤGの従属駐車場に車両が駐車したと判定する。一方、駐車地点が判定領域Ｊ内ではない地点Ｐ４であった場合、制御部２０は、目的施設ＤGの従属駐車場に車両が駐車したと判定しない。
【００２８】
ただし、施設データにおいて目的施設ＤGと施設Ｄとが関連施設であることが示されている場合、制御部２０は、目的施設ＤGと施設Ｄの双方を含む閉じた領域を判定領域Ｊとする。図２Ｂにおいて、目的施設ＤGと施設Ｄとが関連施設であった場合、制御部２０は、破線で示す領域に一点鎖線で示す領域を結合した領域を、目的施設ＤGの従属駐車場の駐車場領域と見なす。そのため、制御部２０は、駐車地点が地点Ｐ４であった場合も目的施設ＤGの従属駐車場に車両が駐車したと判定する。
【００２９】
以上のようにして、目的施設ＤGの従属駐車場に車両が駐車したか否かを判定すると、履歴情報蓄積モジュール２１ｂの機能により制御部２０は、目的施設ＤGと、当該目的施設ＤGの従属駐車場に車両が駐車したか否かと、を対応付けた履歴情報を生成し、当該履歴情報を履歴ＤＢ３０ｂに蓄積する。
【００３０】
案内情報生成モジュール２１ｃの機能により制御部２０は、車載端末１００にて目的施設ＤGが設定された場合に、当該目的施設ＤGまでの走行予定経路を探索し、当該走行予定経路を示す経路情報１３０ｃを車載端末１００に送信する。走行予定経路は、地図情報３０ａのリンデータが示す探索コストを用いてダイクストラ法等の公知の手法により探索できる。このとき、案内情報生成モジュール２１ｃの機能により制御部２０は、目的施設ＤGに従属駐車場があるか否かを判定し、目的施設ＤGに従属駐車場がある場合には、当該目的施設ＤGについての履歴情報を履歴ＤＢ３０ｂから抽出する。
【００３１】
そして、制御部２０は、抽出した履歴情報のうち従属駐車場に駐車したことを示す履歴情報の数を、抽出した履歴情報の全数で除算することにより、従属駐車場の駐車率を算出する。すなわち、制御部２０は、目的施設ＤGまでの経路案内が行われ、かつ、当該目的施設ＤGの従属駐車場に駐車した回数を、目的施設ＤGまでの経路案内が行われた回数で除算した駐車率を算出する。さらに、制御部２０は、従属駐車場の駐車率が閾値（例えば５０％）以上であるか否かを判定し、閾値以上である場合に、従属駐車場に駐車することを推奨する旨の案内メッセージを経路情報１３０ｃに添付する。一方、制御部２０は、従属駐車場の駐車率が閾値未満である場合には、従属駐車場に駐車することを推奨しない旨を示す案内情報を生成し、経路情報１３０ｃに添付する。
【００３２】
（１−２）車載端末の構成：
次に、車載端末１００について説明する。車載端末１００は車両に搭載される。車載端末１００は、ＣＰＵ、ＲＡＭ、ＲＯＭ等を備える制御部１２０と、記録媒体１３０とを備える。車載端末１００は、車両に備えられた通信部１４０とＧＰＳ信号取得部１４１と車速センサ１４２とジャイロセンサ１４３とＥＣＵ（Electronic Control Unit）１４４とユーザＩ／Ｆ部１４５と通信可能に接続されている。制御部１２０は、ＲＯＭや記録媒体１３０等に記録された種々のプログラムを実行することができる。記録媒体１３０には、サーバ１０の地図情報３０ａと同様の地図情報１３０ａが記録されている。
【００３３】
通信部１４０は、予め決められた周波数帯域の搬送波を利用して他の装置と通信を行うための回路を備えている。本実施形態において、制御部１２０は、通信部１４０を介してサーバ１０と通信を行う。ＧＰＳ信号取得部１４１は、ＧＰＳ衛星からの電波を受信し、図示しないインタフェースを介して車両の現在位置を算出するための信号を出力する。車速センサ１４２は、車両が備える車輪の回転速度に対応した信号を出力する。制御部１２０は、図示しないインタフェースを介してこの信号を取得し、車速を取得する。ジャイロセンサ１４３は、車両の水平面内の旋回についての角加速度を検出し、車両の向きに対応した信号を出力する。制御部１２０は、この信号を取得して車両の進行方向を取得する。制御部１２０は、車速センサ１４２およびジャイロセンサ１４３等の出力信号に基づいて車両の走行軌跡を特定することで車両の現在位置を取得する。ＧＰＳ信号取得部１４１の出力信号は、車速センサ１４２およびジャイロセンサ１４３等から特定される車両の現在位置を補正するなどのために利用される。
【００３４】
ＥＣＵ１４４は、車両を制御するためのコンピュータであり、少なくとも車両のアクセサリー電源のＯＮ／ＯＦＦの状態を示す信号を制御部１２０に出力する。ユーザＩ／Ｆ部１４５は、利用者の指示を入力し、また利用者に各種の情報を提供するためのインタフェース部である。本実施形態においてユーザＩ／Ｆ部１４５は、図示しないタッチパネル方式のディスプレイからなる入力部を兼ねた表示部と、スピーカー等の出力音の出力部を備えている。制御部１２０は、ユーザＩ／Ｆ部１４５を制御して、任意の画像をディスプレイに出力させ、任意の音をスピーカーに出力させることができる。
【００３５】
制御部１２０は、車載端末プログラム１２１を実行する。この車載端末プログラム１２１は、目的施設受付モジュール１２１ａと駐車情報送信モジュール１２１ｂと案内制御モジュール１２１ｃと含む。目的施設受付モジュール１２１ａと案内制御モジュール１２１ｃとを実行する制御部１２０は、本発明の目的施設受付部と案内制御部とを構成する。
【００３６】
目的施設受付モジュール１２１ａの機能により制御部１２０は、目的地の施設である目的施設を受け付ける。すなわち、制御部２０は、ユーザＩ／Ｆ部１４５におけるユーザの操作に基づいて目的施設ＤGを受け付ける。目的施設ＤGを受け付けると、制御部２０は、目的施設ＤGを目的地とする経路探索の要求をサーバ１０に送信し、その応答として経路情報１３０ｃを受信する。この経路情報１３０ｃには、目的施設ＤGの従属駐車場に駐車することを推奨するか否かの案内情報が添付される。
【００３７】
駐車情報送信モジュール１２１ｂの機能により制御部１２０は、車両が駐車した場合に、その時刻における現在位置を駐車地点として取得する。また、制御部２０は、経路情報１３０ｃが示す走行予定経路の目的地として設定されている目的施設ＤGを取得する。そして、制御部２０は、目的施設ＤGと駐車地点とを示す駐車情報を生成し、サーバ１０に送信する。
【００３８】
案内制御モジュール１２１ｃの機能により制御部１２０は、過去において目的施設ＤGが目的地として設定された際に車両が実際に駐車した駐車場の傾向を示す案内を案内部（ユーザＩ／Ｆ部１４５）に案内させる。具体的に、制御部２０は、過去において目的施設ＤGが目的地として設定された場合に当該目的施設ＤGに従属する駐車場である従属駐車場に車両が駐車したか否かを示す履歴情報の解析結果に基づいた案内をユーザＩ／Ｆ部１４５に案内させる。すなわち、案内制御モジュール１２１ｃの機能により制御部１２０は、経路情報１３０ｃに添付された案内情報に基づいて、目的施設ＤGの従属駐車場に駐車することを推奨するか否かを案内する。
【００３９】
以上説明した本実施形態の構成において、目的施設ＤGごとに、目的地として設定された際に車両が実際に駐車した駐車場の傾向を示す案内を提供することができる。従って、目的施設ＤGに訪問しようとしている利用者は、過去に目的施設に訪問した利用者が利用した駐車場の傾向を知ることができる。具体的に、目的施設ＤGに従属する従属駐車場に実際に駐車したか、当該従属駐車場以外の駐車場に駐車したかを示す履歴情報を目的施設ＤGごとに蓄積できるため、目的施設ＤGごとに従属駐車場に駐車する傾向の強さを解析できる。そのため、従属駐車場に駐車する傾向の強さに応じた案内を利用者に提供することができる。
【００４０】
ここで、図２Ａのように、施設の位置と、駐車場が存在する駐車場領域と、施設に対する駐車場領域の従属関係とを示す地図情報３０ａが用意されている場合、施設との従属関係が規定された駐車場領域内に車両が駐車したか否かに応じて従属駐車場に車両が駐車したか否かを判定できる。また、従属駐車場から目的施設ＤGまでの間は容易に通行できるようになっていることが通常である。そのため、図２Ｂのように、駐車場から目的施設ＤGまでの間に横切ることの困難度が閾値以上の境界線Ｚが存在する場合には、当該駐車場は従属駐車場ではないと判断できる。そのため、駐車場領域が地図情報３０ａに規定されていなくても、目的施設ＤGと駐車地点とが単一の判定領域Ｊ内であるか否かに基づいて、従属駐車場に車両が駐車したか否かを判定できる。従って、より多くの目的施設ＤGについて履歴情報を蓄積していくことが可能となる。
【００４１】
（２）駐車場情報管理処理：
図３は、サーバ１０が実行する駐車場情報管理処理のフローチャートである。まず、駐車情報収集モジュール２１ａの機能により制御部２０は、駐車情報を取得する（ステップＳ１００）。すなわち、制御部２０は、いずれかの車両から駐車情報を受信する。次に、駐車情報収集モジュール２１ａの機能により制御部２０は、目的施設ＤGを取得する（ステップＳ１１０）。すなわち、制御部２０は、駐車情報が示す目的施設ＤGを取得する。
【００４２】
次に、履歴情報蓄積モジュール２１ｂの機能により制御部２０は、目的施設ＤGの従属駐車場の駐車場領域があるか否かを判定する（ステップＳ１２０）。すなわち、制御部２０は、地図情報３０ａの施設データを参照することにより、目的施設ＤGに対応付けられた従属駐車場があり、かつ、当該従属駐車場の駐車場領域が規定されているか否かを判定する。
【００４３】
目的施設ＤGの従属駐車場の駐車場領域があると判定した場合（ステップＳ１２０：Ｙ）、履歴情報蓄積モジュール２１ｂの機能により制御部２０は、駐車地点が従属駐車場の駐車場領域内であるか否かを判定する（ステップＳ１３０）。すなわち、図２Ａのように、目的施設ＤGの従属駐車場の駐車場領域が規定されている場合、制御部２０は、駐車地点が駐車場領域Ｒ１〜Ｒ３内であれば駐車地点が従属駐車場の駐車場領域内であると判定する。なお、目的施設ＤGと施設Ｄとが関連施設である場合には、制御部２０は、駐車地点が駐車場領域Ｒ１〜Ｒ４内であれば駐車地点が従属駐車場の駐車場領域内であると判定する。
【００４４】
駐車地点が従属駐車場の駐車場領域内であると判定した場合（ステップＳ１３０：Ｙ）、履歴情報蓄積モジュール２１ｂの機能により制御部２０は、目的施設ＤGの従属駐車場に駐車したことを示す履歴情報を履歴ＤＢ３０ｂに蓄積する（ステップＳ１４０）。一方、駐車地点が従属駐車場の駐車場領域内であると判定しなかった場合（ステップＳ１３０：Ｎ）、履歴情報蓄積モジュール２１ｂの機能により制御部２０は、目的施設ＤGの従属駐車場に駐車しなかったことを示す履歴情報を履歴ＤＢ３０ｂに蓄積する（ステップＳ１５０）。
【００４５】
一方、目的施設ＤGの従属駐車場の駐車場領域があると判定しなかった場合（ステップＳ１２０：Ｎ）、履歴情報蓄積モジュール２１ｂの機能により制御部２０は、目的施設ＤGを含み境界線Ｚによって閉じられた判定領域Ｊを取得する（ステップＳ１６０）。例えば、図２Ｂに示すように、制御部２０は、６個の道路区間Ｌ１〜Ｌ６と水領域Ｗとによって構成された境界線Ｚによって閉じられた目的施設ＤGを含む判定領域Ｊを取得する。
【００４６】
次に、履歴情報蓄積モジュール２１ｂの機能により制御部２０は、判定領域Ｊを目的施設ＤGの従属駐車場の駐車場領域として地図情報３０ａの施設データに登録する（ステップＳ１７０）。すなわち、従属駐車場が規定されていなかった目的施設ＤGについて、従属駐車場とその駐車場領域とを新たに登録する。
【００４７】
目的施設ＤGの従属駐車場の駐車場領域として判定領域Ｊを地図情報３０ａの施設データに登録すると、制御部２０は、ステップＳ１３０に進む。すなわち、制御部２０は、判定領域Ｊを目的施設ＤGの従属駐車場の駐車場領域と見なして、駐車地点が目的施設ＤGの従属駐車場の駐車場領域内であるか否かを判定し、その判定結果に応じて、履歴情報を履歴ＤＢ３０ｂに蓄積する（ステップＳ１４０，Ｓ１５０）。
【００４８】
（３）駐車場案内処理：
図４は、サーバ１０が実行する駐車場案内処理のフローチャートである。駐車場案内処理は、経路探索の要求を車載端末１００から受信した場合に実行される処理である。まず、案内情報生成モジュール２１ｃの機能により制御部２０は、目的施設ＤGを取得する（ステップＳ２００）。すなわち、制御部２０は、経路探索の要求が示す目的施設ＤGを取得する。
【００４９】
次に、案内情報生成モジュール２１ｃの機能により制御部２０は、目的施設ＤGの履歴情報を抽出する（ステップＳ２１０）。すなわち、制御部２０は、目的施設ＤGについての履歴情報を履歴ＤＢ３０ｂから抽出する。
【００５０】
次に、案内情報生成モジュール２１ｃの機能により制御部２０は、目的施設ＤGの従属駐車場の駐車率が閾値（例えば５０％）以上であるか否かを判定する（ステップＳ２２０）。目的施設ＤGの従属駐車場の駐車率が閾値以上であると判定した場合（ステップＳ２２０：Ｙ）、案内情報生成モジュール２１ｃの機能により制御部２０は、従属駐車場に駐車することを推奨する案内情報を生成する（ステップＳ２３０）。一方、目的施設ＤGの従属駐車場の駐車率が閾値以上であると判定しなかった場合（ステップＳ２２０：Ｎ）、案内情報生成モジュール２１ｃの機能により制御部２０は、従属駐車場に駐車することを推奨しない案内情報を生成する（ステップＳ２４０）。
【００５１】
以上のように案内情報を生成すると、案内情報生成モジュール２１ｃの機能により制御部２０は、当該案内情報を送信する（ステップＳ２５０）。すなわち、制御部２０は、従属駐車場に駐車することを推奨するか否かを示す当該案内情報を経路情報１３０ｃに添付して車載端末１００に送信する。なお、案内情報生成モジュール２１ｃの機能により制御部２０は、経路探索の要求に応じて経路情報１３０ｃも生成している。
【００５２】
なお、従属駐車場に駐車することを推奨する場合、制御部２０は、従属駐車場を目的地とする走行予定経路を探索してもよく、当該走行予定経路を示す経路情報１３０ｃを車載端末１００に送信してもよい。一方、従属駐車場に駐車することを推奨しない場合、制御部２０は、従属駐車場以外の駐車場を目的地とする走行予定経路を探索してもよく、当該走行予定経路を示す経路情報１３０ｃを車載端末１００に送信してもよい。例えば、制御部２０は、従属駐車場以外の駐車場のうち、最も目的施設ＤGに近い駐車場や最も空車率が高い駐車場や最も駐車料金が安い駐車場を目的地とする走行予定経路を探索してもよい。
【００５３】
さらに、案内情報生成モジュール２１ｃの機能により制御部２０は、必ずしも目的施設ＤGの従属駐車場の駐車率が閾値以上であるか否かを判定しなくてもよく、目的施設ＤGの従属駐車場に駐車する傾向の強さを案内する案内情報を生成してもよい。例えば、制御部２０は、目的施設ＤGの従属駐車場に駐車する傾向の強さを案内する案内情報として、目的施設ＤGの従属駐車場の駐車率を示す案内情報を生成してもよい。この場合、車載端末１００にて目的施設ＤGの従属駐車場の駐車率を案内することができ、利用者は目的施設ＤGの従属駐車場に駐車する傾向の強さを認識できる。
【００５４】
（４）第２実施形態：
本実施形態において、履歴情報蓄積モジュール２１ｂの機能により制御部２０は、目的施設ＤGと、当該目的施設ＤGが目的地として設定された際に実際に車両が駐車した駐車地点の位置を示す履歴情報を履歴ＤＢ３０ｂに蓄積する。すなわち、履歴情報を蓄積する段階では、駐車地点が目的施設ＤGの従属駐車場内であるか否かの判定を行うことなく、駐車地点の位置を示す履歴情報を履歴ＤＢ３０ｂに蓄積しておく。
【００５５】
そして、案内情報生成モジュール２１ｃの機能により制御部２０は、目的施設ＤGが対応付けられたすべての履歴情報を抽出し、当該抽出した履歴情報の全個数を取得する。さらに、制御部２０は、目的施設ＤGが対応付けられた各履歴情報が示す駐車地点が属する駐車場を地図情報３０ａ（施設データ）に基づいて取得する。さらに、制御部２０は、目的施設ＤGが対応付けられた各履歴情報が示す駐車地点が属する駐車場が目的施設ＤGの従属駐車場であるか否かを判定する。そして、制御部２０は、目的施設ＤGが対応付けられた履歴情報のうち駐車地点が属する駐車場が目的施設ＤGの従属駐車場内であった履歴情報の個数を、目的施設ＤGが対応付けられた履歴情報の全個数で除算することにより、目的施設ＤGの従属駐車場の駐車率を取得する。
【００５６】
従属駐車場の駐車率が閾値以上である場合、案内情報生成モジュール２１ｃの機能により制御部２０は、従属駐車場に駐車することを推奨する案内情報を生成する（第１実施形態と同様）。
【００５７】
一方、従属駐車場の駐車率が閾値以上であると判定した場合、案内情報生成モジュール２１ｃの機能により制御部２０は、車両が実際に駐車した従属駐車場以外の駐車場（以下、非従属駐車場）を案内する案内情報を生成する。具体的に、制御部２０は、非従属駐車場のそれぞれの駐車頻度を示す案内情報を生成する。本実施形態において、制御部２０は、非従属駐車場の駐車頻度として、非従属駐車場の駐車確率を示す案内情報を生成する。非従属駐車場の駐車確率は、目的施設ＤGが対応付けられた履歴情報のうち、各非従属駐車場の駐車場領域内に駐車地点が存在する履歴情報の個数を、目的施設ＤGが対応付けられた履歴情報の全個数で除算することにより算出できる。
【００５８】
制御部２０は、駐車確率が基準値（例えば５％）以上となっている非従属駐車場を抽出し、当該非従属駐車場の駐車確率を示す案内情報を生成する。さらに、制御部２０は、駐車確率が基準値以上となっている非従属駐車場に類似する駐車場である類似駐車場を地図情報３０ａ（施設データ）にて検索し、当該類似駐車場を示す情報を案内情報に添付する。本実施形態において、類似駐車場とは、非従属駐車場との距離が予め決められた基準距離（例えば５００ｍ）以下であり、名称の一部が共通する駐車場であることとする。例えば、駐車確率が基準値以上の非従属駐車場（名称：ＡＢＣ第１駐車場）に隣接している駐車場（名称：ＡＢＣ第２駐車場）は、類似駐車場に該当する。
【００５９】
以下、上述した案内情報に基づいて行われる案内について説明する。案内制御モジュール１２１ｃの機能により制御部１２０は、従属駐車場外において車両が実際に駐車した駐車地点の位置を示す案内をユーザＩ／Ｆ部１４５に案内させる。すなわち、制御部２０は、案内情報に基づいて、駐車確率が基準値以上となっている非従属駐車場の位置を示す案内を行う。さらに、制御部２０は、案内制御モジュール１２１ｃの機能により制御部１２０は、駐車地点が属する従属駐車場以外の駐車場の駐車頻度を示す案内をユーザＩ／Ｆ部１４５に案内させる。すなわち、制御部２０は、案内情報に基づいて、駐車確率が基準値以上となっている非従属駐車場の駐車確率を示す案内を行う。
【００６０】
図４は、駐車場の案内画面の例を示す。同図に示すように、地図上において、目的施設ＤGの従属駐車場である駐車場Ｋ（黒）とともに、駐車確率が基準値以上となっている非従属駐車場としての駐車場Ｈ１，Ｈ２（クロスハッチング）の位置と駐車確率が示されている。制御部２０は、目的施設ＤGの従属駐車場と、駐車確率が基準値以上となっている非従属駐車場とを識別可能に表示している。さらに、制御部２０は、駐車確率が基準値以上となっている非従属駐車場としての駐車場Ｈ１，Ｈ２への駐車を提案する音声案内を行ってもよい。例えば、制御部２０は、『目的施設ＤGに訪問する際に駐車場Ｈ１，Ｈ２もよく利用されています』という音声案内を行ってもよい。
【００６１】
なお、案内対象の非従属駐車場は、駐車確率等の駐車頻度が基準値以上となっている非従属駐車場に限らず、駐車頻度が上位規定個数以内の非従属駐車場であってもよい。なお、制御部２０は、目的施設ＤGの従属駐車場である駐車場Ｋが空き状況が満車に近いほど非従属駐車場を強調して案内したり、案内する非従属駐車場の個数を増加させたりしてもよい。
【００６２】
さらに、案内制御モジュール１２１ｃの機能により制御部１２０は、駐車地点が属する従属駐車場以外の駐車場と、当該駐車場に類似する駐車場である類似駐車場とを示す案内をユーザＩ／Ｆ部１４５に案内させる。図４に示すように、制御部２０は、類似駐車場としての駐車場Ｘ（斜めハッチング）を、他の駐車場Ｋ，Ｈ１，Ｈ２と識別可能に表示する。さらに、制御部２０は、駐車頻度が基準値以上となっている非従属駐車場以外の非従属駐車場であって、目的施設ＤGから一定の距離以内の非従属駐車場を表示してもよい。この場合、制御部２０は、駐車頻度が基準値以上となっている非従属駐車場を、駐車頻度が基準値未満の非従属駐車場よりも強調して案内するようにしてもよい。
【００６３】
以上説明した第２実施形態によれば、これにより、従属駐車場に駐車しない代わりに、どの位置（駐車場）に車両がよく駐車されているかを利用者が認識することができる。図４の例では、目的施設ＤGの従属駐車場よりも目的施設ＤGの近くに駐車できる可能性があり、かつ、実際に駐車確率が大きい駐車場Ｈ１，Ｈ２を案内できる。さらに、車両が実際に駐車した従属駐車場以外の駐車場（非従属駐車場）だけでなく、当該駐車場と類似する性質を有する駐車場（類似駐車場）も利用者に案内することができる。
【００６４】
案内情報生成モジュール２１ｃの機能により制御部２０は、目的施設ＤGが対応付けられたすべての履歴情報を抽出しなくてもよく、現在時刻が属する時間帯に駐車が行われたことを示す履歴情報のみを抽出してもよい。このように、現在時刻が属する時間帯に駐車が行われたことを示す履歴情報のみを抽出することにより、現在時刻が属する時間帯において実際に駐車が行われた駐車場の傾向を案内することが可能となる。時間帯とは、１日を時刻に応じて区分した範囲（昼間、夜間等）であってもよいし、平休日の区別であってもよいし、曜日であってもよいし、月であってもよいし、季節であってもよい。
【００６５】
さらに、案内情報生成モジュール２１ｃの機能により制御部２０は、駐車した時刻が一定の時刻よりも新しい履歴情報のみを抽出してもよい。これにより、最近の傾向を案内することが可能となる。一定の時刻とは、現在時刻から予め決められた期間（例えば１年）だけ遡った時刻であってもよい。
【００６６】
（４）他の実施形態：
以上の実施形態は本発明を実施するための一例であり、他にも種々の実施形態を採用可能である。例えば、駐車場領域の整備が進んだ地図情報３０ａを使用できる場合、図３のステップＳ１２０，Ｓ１６０，Ｓ１７０が省略されてもよい。また、車載端末１００の制御部１２０は、目的施設ＤGの従属駐車場に車両が駐車したか否かを判定し、その判定結果を示す履歴情報を生成してもよい。この場合、サーバ１０は、各車両から受信した履歴情報を履歴ＤＢ３０ｂに蓄積すればよい。
【００６７】
また、サーバ１０は、履歴ＤＢ３０ｂに蓄積された履歴情報に基づいて予め目的施設ＤGの従属駐車場に車両が駐車する傾向の強さを解析しておき、当該傾向の強さを目的施設ＤGごとに示す傾向データを車載端末１００に配信しておいてもよい。この場合、予め配信された傾向データに基づいて、車載端末１００の制御部１２０が目的施設ＤGの従属駐車場に車両が駐車する傾向の強さ示す案内情報を生成して案内することができる。この場合、車載端末１００の制御部１２０が経路探索を行ってもよい。
【００６８】
また、目的施設ＤGの従属駐車場に車両が駐車する傾向の強さは、各種状況別に解析されてもよい。例えば、制御部２０は、時間帯（時刻、平休日、月、季節等）ごとに履歴情報を抽出し、当該時間帯ごとに駐車率を算出してもよい。さらに、履歴情報には車両の運転者の特性（年齢、性別等）や車種等が対応付けられてもよく、制御部２０は、運転者の特性や車種ごとに駐車率を算出してもよい。
【００６９】
駐車情報収集部は、複数の車両から駐車情報を収集してもよいし、単一の車両から駐車情報を収集してもよい。駐車地点は、車両が駐車した位置であり、例えば車両に搭載された車載端末が自律航法等によって特定している位置であってもよい。また、駐車地点は、少なくとも車両が駐車した駐車場を判別できる位置であればよく、駐車場内において車両が駐車した詳細な位置まで特定されなくてもよい。
【００７０】
履歴情報蓄積部は、駐車地点に基づいて車両が駐車した駐車場を取得し、当該駐車場が目的施設の従属駐車場であるか否かを判定すればよい。車両が駐車した駐車場が目的施設の従属駐車場であるか否かの判定手法は種々考えられる。例えば、履歴情報蓄積部は、目的施設と従属駐車場との対応関係が規定された地図情報に基づいて、車両が駐車した駐車場が目的施設の従属駐車場であるか否かを判定してもよい。また、履歴情報蓄積部は、目的施設の名称と駐車場の名称との類似性に基づいて、車両が駐車した駐車場が目的施設の従属駐車場であるか否かを判定してもよい。目的施設は、運転者が訪問する目的地として設定された施設であればよく、施設の属性（商業施設、交通施設、公共施設、観光施設等）は特に限定されない。例えば、目的施設は、経路案内装置（車載器、スマートフォン）等において目的地として設定された施設であってもよく、案内された経路の目的地であってもよい。
【００７１】
履歴情報は、目的地として設定された際に車両が実際に駐車した駐車場の傾向を導出可能な情報であればよく、車両が実際に駐車した傾向を駐車場ごとに導出可能な情報であってもよい。車両が実際に駐車した傾向とは、駐車頻度であってもよく、具体的に駐車回数や駐車確率であってもよい。また、履歴情報は、駐車地点が目的施設に従属する駐車場である従属駐車場内であるか否かを示す情報であってもよい。すなわち、履歴情報は、車両が実際に駐車した駐車場の傾向として、従属駐車場に駐車した傾向と、従属駐車場以外の駐車場に駐車した傾向とが導出可能な情報であってもよい。
【００７２】
ここで、履歴情報蓄積部は、施設の位置と、駐車場が存在する駐車場領域と、施設に対する駐車場領域の従属関係とを示す地図情報を取得してもよい。そして、履歴情報蓄積部は、駐車地点が、目的施設に従属する駐車場領域内である場合、当該目的施設に従属する従属駐車場に車両が駐車したと判定し、駐車地点が、目的施設に従属する駐車場領域内でない場合、従属駐車場に車両が駐車しなかった判定してもよい。このように、施設の位置と、駐車場が存在する駐車場領域と、施設に対する駐車場領域の従属関係とを示す地図情報が用意されている場合、施設との従属関係が規定された駐車場領域（いわゆるポリゴン）内に車両が駐車したか否かに応じて従属駐車場に車両が駐車したか否かを判定できる。
【００７３】
また、履歴情報蓄積部は、横切ることの困難度が閾値以上の境界線によって閉じられた領域であって目的施設を含む判定領域を当該目的施設に従属する従属駐車場の駐車場領域と見なしてもよい。従属駐車場から目的施設までの間は容易に通行できるようになっていることが通常である。そのため、駐車場から目的施設までの間に横切ることの困難度が閾値以上の境界線が存在する場合には、当該駐車場は従属駐車場ではないと判断できる。さらに、履歴情報蓄積部は、駐車地点が、判定領域内である場合、従属駐車場に車両が駐車したと判定し、駐車地点が、判定領域内でない場合、従属駐車場に車両が駐車しなかった判定する。これにより、駐車場領域が地図情報に規定されていなくても、目的施設と駐車地点とが単一の判定領域内であるか否かに基づいて、従属駐車場に車両が駐車したか否かを判定できる。したがって、より多くの目的施設について履歴情報を蓄積していくことが可能となる。
【００７４】
また、境界線は道路区間によって構成されてもよい。道路区間を横切ることなく駐車地点から目的施設へと通行できる場合、駐車地点が目的施設の従属駐車場内であると見なすことができる。なお、境界線を構成する地物は道路区間に限られない。例えば、境界線は、海や川や池のように水が存在する部分であってもよいし、山や崖等の急勾配が存在する部分であってもよいし、その他横切ることが困難な人工建造物（壁、土手等）が存在する部分であってもよい。また、必ずしもすべての道路区間が境界線を構成しなくてもよく、横断歩道や信号や歩道橋や横断用の地下道が設けられている道路区間は、横切ることの困難度が閾値未満であるとして、境界線を構成する道路区間から除外されてもよい。さらに、幅員や車線数が基準値未満の道路区間は、横切ることの困難度が閾値未満であるとして、境界線を構成する道路区間から除外されてもよい。
【００７５】
目的施設受付部は、目的地の施設である目的施設を受け付ければよく、経路案内装置（車載器、スマートフォン）等において目的施設を受け付ければよい。案内制御部は、従属駐車場に車両が駐車する傾向の強さに応じた案内を案内部に案内させてもよく、案内の方法は音声によるものであってもよいし画像によるものであってもよい。従属駐車場に車両が駐車する傾向の強さに応じた案内とは、従属駐車場に車両が駐車する傾向そのものを案内することであってもよい。これにより、利用者は、従属駐車場に車両が駐車すべきか否かを判断できる。また、従属駐車場に車両が駐車する傾向の強さに応じた案内とは、従属駐車場に車両が駐車する傾向に応じて選択された駐車場までの経路を案内することであってもよい。例えば、案内制御部は、従属駐車場に車両が駐車する傾向が基準以下であれば、従属駐車場以外の周辺の駐車場までの経路を案内してもよい。反対に、案内制御部は、従属駐車場に車両が駐車する傾向が前記基準よりも強ければ、従属駐車場までの経路を案内してもよい。
【００７６】
ここで、車両が実際に従属駐車場に駐車した傾向が弱い場合、従属駐車場以外に車両が実際に駐車した駐車地点の位置を案内することが望ましい。これにより、従属駐車場に駐車しない代わりに、どの位置に車両がよく駐車されているかを利用者が認識することができる。そのために、履歴情報のうち、少なくとも駐車地点が従属駐車場内でない場合に蓄積される履歴情報は駐車地点の位置を示すように構成されてもよい。一方、駐車地点が従属駐車場内である場合に蓄積される履歴情報は、駐車地点の位置を示さなくてもよく、単に駐車地点が従属駐車場内であったことを示す情報であってもよい。これにより、履歴情報のデータ量を抑制できる。むろん、駐車地点が従属駐車場内であるか否かに拘わらず、履歴情報は駐車地点の位置を示してもよい。
【００７７】
さらに、案内制御部は、駐車地点が属する従属駐車場以外の駐車場の駐車頻度を示す案内を案内部に案内させてもよい。これにより、従属駐車場に駐車しない代わりに、どの駐車場に車両がよく駐車されているかを利用者が認識することができる。駐車地点が属する従属駐車場以外の駐車場とは、駐車地点が属する駐車場であって従属駐車場に該当しない駐車場である。
【００７８】
また、案内制御部は、駐車地点が属する従属駐車場以外の駐車場と、当該駐車場に類似する駐車場である類似駐車場とを示す案内を案内部に案内させてもよい。これにより、車両が実際に駐車した従属駐車場以外の駐車場だけでなく、当該駐車場と類似する性質を有する駐車場も利用者に案内することができる。駐車場が類似するとは、例えば位置や所有者や管理者や名称や駐車料金が一定の基準以上類似する駐車場であってもよい。
【００７９】
さらに、本発明のように、目的施設ごとに実際に駐車が行われた駐車場の傾向を案内する手法は、プログラムや方法としても適用可能である。また、以上のようなシステム、プログラム、方法は、単独の装置として実現される場合や、複数の装置によって実現される場合が想定可能であり、各種の態様を含むものである。例えば、以上のような構成を備えたナビゲーションシステムや端末、方法、プログラムを提供することが可能である。また、一部がソフトウェアであり一部がハードウェアであったりするなど、適宜、変更可能である。さらに、システムを制御するプログラムの記録媒体としても発明は成立する。むろん、そのソフトウェアの記録媒体は、磁気記録媒体であってもよいし半導体メモリであってもよいし、今後開発されるいかなる記録媒体においても全く同様に考えることができる。
【符号の説明】
【００８０】
１０…サーバ、２０…制御部、２１…駐車場情報管理プログラム、２１ａ…駐車情報収集モジュール、２１ｂ…履歴情報蓄積モジュール、２１ｃ…案内情報生成モジュール、３０…記録媒体、３０ａ…地図情報、３０ｂ…履歴ＤＢ、４０…通信部、１００…車載端末、１２０…制御部、１２１…車載端末プログラム、１２１ａ…目的施設受付モジュール、１２１ｂ…駐車情報送信モジュール、１２１ｃ…案内制御モジュール、１３０…記録媒体、１３０ａ…地図情報、１３０ｃ…経路情報、１４０…通信部、１４１…ＧＰＳ信号取得部、１４２…車速センサ、１４３…ジャイロセンサ、１４４…ＥＣＵ、１４５…ユーザＩ／Ｆ部、Ｄ…施設、ＤG…目的施設、Ｊ…判定領域、Ｌ１〜Ｌ９…道路区間、Ｗ…水領域、Ｒ１〜Ｒ４…駐車場領域、Ｚ…境界線
【図１】
2018179956.tif 000003
【図２】
2018179956.tif 000004
【図３】
2018179956.tif 000005
【図４】
2018179956.tif 000006
【図５】
2018179956.tif 000007
【国際調査報告】
2018179956.tif 000008
2018179956.tif 000009